(57)【要約】【課題】本発明の目的はケーブル容器の高さを小さくしてガス絶縁開閉装置を設置する建屋を含むコスト低減を図ることができるガス絶縁開閉装置を提供することにある。【解決手段】ケーブル容器１４に遮断器容器１０と連結する水平分岐管１５を形成し、このケーブル容器水平分岐管１５内に遮断器１１の線路側の３位置形断路器１６を収納配置する。遮断器１１の母線側の３位置形断路器７、８は母線容器１、２の水平分岐管５、６内に配置する。【選択図】  図１
2004266969.tif 000002
【特許請求の範囲】
【請求項１】
遮断器が収納配置されている遮断器容器と、主母線が張設され水平分岐管を介して前記遮断器容器に連結される母線容器と、前記母線容器水平分岐管に収納配置される３位置形断路器と、前記遮断器容器に連結する水平分岐管を形成され、電力系統からのケ−ブルを引込むケーブル容器と、前記ケーブル容器水平分岐管に収納配置される３位置形断路器とを具備することを特徴とするガス絶縁開閉装置。
【請求項２】
遮断器が収納配置されている遮断器容器と、主母線が張設され水平分岐管を介して前記遮断器容器に連結される母線容器と、前記母線容器水平分岐管に収納配置される３位置形断路器と、前記遮断器容器に連結する水平分岐管を形成され、電力系統からのケ−ブルを引込むケーブル容器と、前記ケーブル容器水平分岐管に収納配置される３位置形断路器とを具備し、前記母線容器水平分岐管、前記遮断器容器、前記ケーブル容器水平分岐管および前記ケーブル容器が直線上に配置されていることを特徴とするガス絶縁開閉装置。
【請求項３】
縦形遮断器が収納配置されている遮断器容器と、主母線が張設収納され水平分岐管を介して前記遮断器容器に連結される母線容器と、前記母線容器水平分岐管に収納配置される前記縦形遮断器母線側の３位置形断路器と、前記遮断器容器に連結する水平分岐管を形成され、電力系統からのケ−ブルを引込むケ−ブルヘッドを有するケーブル容器と、前記ケーブル容器水平分岐管に収納配置される前記縦形遮断器線路側の３位置形断路器とを具備することを特徴とするガス絶縁開閉装置。
【請求項４】
縦形遮断器が収納配置され、水平分岐管が形成されている遮断器容器と、前記遮断器容器に収納配置される前記縦形遮断器母線側の変流器と、前記遮断器容器水平分岐管に収納配置される前記縦形遮断器線路側の変流器と、主母線が張設収納され水平分岐管を介して前記遮断器容器に連結される母線容器と、前記母線容器水平分岐管に収納配置される前記縦形遮断器母線側の３位置形断路器と、前記遮断器容器水平分岐管に連結する水平分岐管を形成されると共に上部に計器用変圧器が載置されている電力系統からのケ−ブルを引込むケーブル容器と、前記ケーブル容器水平分岐管に収納配置される前記縦形遮断器線路側の３位置形断路器とを具備することを特徴とするガス絶縁開閉装置。
【請求項５】
縦形遮断器が収納配置され、水平分岐管が形成されている遮断器容器と、主母線がそれぞれに張設収納され、それぞれ水平分岐管を介して前記遮断器容器に連結される２つの母線容器と、前記２つの母線容器水平分岐管にそれぞれ収納配置される前記縦形遮断器母線側の２台の３位置形断路器と、前記遮断器容器水平分岐管に連結する水平分岐管を形成され、電力系統からのケ−ブルを引込むケ−ブルヘッドを有するケーブル容器と、前記ケーブル容器水平分岐管に収納配置される前記縦形遮断器線路側の３位置形断路器とを具備することを特徴とするガス絶縁開閉装置。
【請求項６】
縦形遮断器が収納配置され、水平分岐管が形成されている遮断器容器と、前記遮断器容器に収納配置される前記縦形遮断器母線側の変流器と、前記遮断器容器水平分岐管に収納配置される前記縦形遮断器線路側の変流器と、主母線がそれぞれに張設収納され、それぞれ水平分岐管を介して前記遮断器容器に連結される２つの母線容器と、前記２つの母線容器水平分岐管にそれぞれ収納配置される前記縦形遮断器母線側の２台の３位置形断路器と、前記遮断器容器水平分岐管に連結する水平分岐管を形成され、上部に計器用変圧器が載置されていると共に少なくともケ−ブル切離装置、接地開閉器、ケ−ブルヘッドが収納配置され電力系統からのケ−ブルを引込むケーブル容器と、前記ケーブル容器水平分岐管に収納配置される前記縦形遮断器線路側の３位置形断路器とを具備することを特徴とするガス絶縁開閉装置。
【発明の詳細な説明】
【０００１】
【発明の属する技術分野】
本発明は電力の送配電や受配電に用いられるガス絶縁開閉装置に関する。
【０００２】
【従来の技術】
【特許文献１】特開平１０―７５５１３号公報
一般に、ガス絶縁開閉装置は電力の送配電や受配電を行うために電力系統の開閉に多く採用されている。ガス絶縁開閉装置は電力系統から通常２回線を引込み、主母線は電力の安定供給のため２重母線方式にしている。主母線は相分離配置あるいは３相一括配置するようにしている。
【０００３】
ガス絶縁開閉装置は電力系統のケーブルがケーブルヘッドを介してケーブル容器に引込れ遮断器を介して主母線に接続される。遮断器の電力系統側（以後、線路側と称する）と主母線側（以後、母線側と称する）に断路器と接地開閉器を設けている。主母線が２重母線の場合には、遮断器の母線側には両主母線毎に断路器と接地開閉器が設けられる。
【０００４】
このように遮断器の線路側と母線側には遮断器の保守点検のために断路器と接地開閉器が設けられる。この断路器と接地開閉器を１台の３点位置形開閉器で構成するようにしている。３点位置形開閉器は３点位置形接地装置付断路器と呼称されているが、以後、本明細書では３位置形断路器と称する。３位置形断路器を用いると、断路器と接地開閉器間のインタ−ロックを採る必要がなくシステム簡素化、誤操作防止など信頼性を高めることができる。
【０００５】
断路器と接地開閉器を１台の３位置形断路器で構成することは、例えば、上記特許文献１に記載されている。従来、遮断器の線路側の３位置形断路器は円筒形状のケーブル容器に垂直方向（高さ方向）に配置し、また、母線側の３位置形断路器を母線容器の分岐管内に配置している。
【０００６】
【発明が解決しようとする課題】
従来技術は、遮断器線路側の３位置形断路器をケーブル容器内に、ケーブル容器軸線上に垂直方向（高さ方向）に配置しており、ケーブル容器の高さ方向の長さが大きくなる。例えば、３００ｍｍ〜５００ｍｍ程度大きくなる。ガス絶縁開閉装置を建屋の屋内に設置しようとすると建屋を高くしなければならず建屋を含むコストが大になるという問題点を有する。また、天井クレーンの高さにも制限があることからケーブル容器の高さを小さくすることが強く望まれている。
【０００７】
本発明の目的はケーブル容器の高さを小さくしてガス絶縁開閉装置を設置する建屋を含むコスト低減を図ることができるガス絶縁開閉装置を提供することにある。
【０００８】
【課題を解決するための手段】
本発明の特徴とするところはケーブル容器に遮断器容器と連結する水平分岐管を形成し、このケーブル容器水平分岐管内に遮断器線路側の３位置形断路器を配置するようにしたことにある。
【０００９】
本発明はケーブル容器に形成され遮断器容器と連結する水平分岐管内に遮断器線路側の３位置形断路器を配置しているのでケーブル容器の高さを小さくでき、ガス絶縁開閉装置を設置する建屋を含むコスト低減を図ることができる。
【００１０】
【発明の実施の形態】
図１、２に本発明に一実施例を示す。図１はガス絶縁開閉装置の断面機器配置図で、図２は１回線の平面機器配置構成図である。図１は図２のＡ―Ａ断面図に相当する。図１、２は２重母線の例を示している。
【００１１】
図１、２において、円筒状の母線容器１、２にはそれぞれ３相の主母線３、４が張設されている。３相の主母線３、４には図示を簡略化するため１相の主母線３、４に主回路導体１９を接続している例を示している。母線容器１、２には遮断器容器１０に連結する水平分岐管５、６が形成されている。
【００１２】
水平分岐管５、６内には縦形遮断器１１の母線側の３位置形断路器７、８が収納配置されている。母線容器１と水平分岐管５および母線容器２と水平分岐管６のそれぞれの内部には絶縁ガスが密封して封入されている。
【００１３】
円筒状の遮断器容器１０には縦形遮断器１１が収納配置されている。遮断器容器１０の図示右側（ケーブル容器１４側）には水平分岐管１２が形成されている。遮断器容器１０と水平分岐管１２の内部には絶縁ガスが密封して封入されている。遮断器１１の母線側は主回路導体１９によって３位置形断路器７、８に接続されている。
【００１４】
遮断器容器１０には遮断器１１の母線側電流を検出する変流器２８が配置されている。変流器２８は主回路導体１９に取付けられる。また、遮断器容器１０の水平分岐管１２には遮断器１１の線路側電流を検出する変流器２７が配置されている。変流器２７は主回路導体１９に取付けられる。
【００１５】
円筒状のケーブル容器１４は図示左側（遮断器容器側）に遮断器容器１０と連結する水平分岐管１５が形成されている。水平分岐管１５内には縦形遮断器１１の線路側の３位置形断路器１６が収納配置されている。３位置形断路器１６の母線側端は主回路導体１９により遮断器１１の線路側に接続されている。３位置形断路器１６の線路側端は主回路導体１９によりケ−ブル切離装置２５を介してケ−ブルヘッド２０に接続される。
【００１６】
ケーブル容器１４の水平分岐管１５より下方の図示右側に分岐管１７が形成されている。分岐管１７には電力系統からの引込みケーブルの直流耐圧試験を行うための切離装置２２が設けられており、また、直流耐圧試験端子２３が設けられている。電力系統ケーブルの直流耐圧試験は切離装置２２を「入」にし、ケ−ブル切離装置２５を「切」にして行われる。
【００１７】
ケ−ブル容器１４の上部に計器用変圧器２６が載置して配置され、水平分岐管１５の下方に接地開閉器２４が取付けられている。ケーブル容器１４、水平分岐管１５および分岐管１７の密封容器を構成し、内部には絶縁ガスが封入されている。
【００１８】
このように構成されるガス絶縁開閉装置は図２に示すように母線容器水平分岐管５、遮断器容器１０、ケーブル容器水平分岐管１２およびケーブル容器１４が直線上に配置されている。
【００１９】
ガス絶縁開閉装置の単線接続図は図３のようになる。ケ−ブルヘッド２０を介して導入した主回路導体１９はケ−ブル切離装置２５、３位置形断路器１６を介して遮断器１１の線路側端に接続されている。ケ−ブルヘッド２０とケ−ブル切離装置２５の間には直流耐圧試験用切離装置２２を介して直流耐圧試験口２３の一端と接地開閉器２４の一端が接続されている。
【００２０】
３位置形断路器１６の線路側に計器用変成器２６が接続され、３位置形断路器１６と遮断器１１の間に変流器２７が設けられている。遮断器１１の母線側端は３位置形断路器７、８を介して主母線３または４に接続される。
【００２１】
図４に３位置形断路器１６の一例構成図を示す。図４は１相分を示している。
【００２２】
主回路導体１９に固定側導体３０の一端が接続され、固定側導体３０の他端にブレード３１の回転端（他端）が接触している。ブレード３１の一端は可動側導体３２に回動自在に支持されている。
【００２３】
ブレード３１は絶縁操作ロッド３３を介して回転レバー３４に機械的に連結されている。ケ−ブル容器１４の水平分岐管１５の下面に接地端子３５が取付けられている。
【００２４】
図示しない操作器により回転レバ−３４を回転させると、絶縁操作ロッド３３を介してブレ−ド３１が可動側導体３２の支持点を支点として回転する。図４はブレード３１が固定側導体３０に接触し断路器「入」の状態を示している。図４の状態からブレード３１が時計方向に回転し接地端子３５に接触すると接地開閉器「入」の状態になる。ブレ−ド３１が固定側導体３０と接地端子３５の中間に位置した場合に断路器、接地開閉器が「切」の状態になる。
【００２５】
図５に３位置形断路器７の一例構成図を示す。図５は１相分を示している。３位置形断路器８は３位置形断路器７と同じ構成である。
【００２６】
固定側導体４０は一端を主母線３に接続され、固定側導体４０の他端にブレード４１の回転端（他端）が接触している。ブレード４１の一端は可動側導体４２に回動自在に支持されている。可動側導体４２は主回路導体１９に接続されている。
【００２７】
ブレード４１は絶縁操作ロッド４３を介して回転レバー４４に機械的に連結されている。母線容器１の水平分岐管５の上面に接地端子４５が取付けられている。
【００２８】
３位置形断路器７は図４に示す３位置形断路器１６と同様に図示しない操作器により回転レバ−４４を回転させると、絶縁操作ロッド４３を介してブレ−ド４１が可動側導体４２の支持点を支点として回転する。図５はブレード４１が固定側導体４０に接触し断路器「入」の状態を示している。図５の状態からブレード４１が時計方向に回転し接地端子４５に接触すると接地開閉器「入」の状態になる。ブレ−ド４１が固定側導体４０と接地端子４５の中間に位置した場合に断路器、接地開閉器が「切」の状態になる。
【００２９】
本発明のガス絶縁開閉装置は以上のように構成されており、遮断器１１の保守点検を行う場合には線路側の３位置形断路器１６と母線側の３位置形断路器７、８を接地開閉器「入」の状態あるいは断路器、接地開閉器を「切」の状態にして行われる。
【００３０】
このように本発明のガス絶縁開閉装置はケーブル容器に形成され遮断器容器と連結する水平分岐管内に遮断器線路側の３位置形断路器を配置しているのでケーブル容器の高さを小さくでき、ガス絶縁開閉装置を設置する建屋を含むコスト低減を図ることができる。
【００３１】
また、ケ−ブル容器の長さを短くすることにより、ガス絶縁開閉装置全体の高さを低くできるので、電力ケ−ブルの端末処理作業の空間を確保できるという実用上の効果を奏することができる。
【００３２】
さらに、上述の実施例は遮断器容器に水平分岐管を設け線路側変流器を収納配置しているので、直線状に張設された主回路導体に線路側変流器を取付けることができ線路側変流器の取付けを容易に行うことができる。
【００３３】
なお、上述の実施例は遮断器容器に水平分岐管を設け線路側変流器を収納配置しているが、線路側変流器を遮断器容器本体に収納配置できれば遮断器容器に水平分岐管を設けなくても良いことは明らかなことである。
【００３４】
【発明の効果】
本発明はケーブル容器に形成され遮断器容器と連結する水平分岐管内に遮断器線路側の３位置形断路器を配置しているのでケーブル容器の高さを小さくでき、ガス絶縁開閉装置を設置する建屋を含むコスト低減を図ることができる。
【図面の簡単な説明】
【図１】本発明の一実施例を示す断面機器配置構成図である。
【図２】本発明の一実施例を示す機器配置平面図である。
【図３】本発明の一実施例の単線接続図である。
【図４】３位置形断路器の一例を示す構成図である。
【図５】３位置形断路器の他の一例を示す構成図である。
【符号の説明】
１、２…母線容器、３、４…主母線、５、６…母線容器水平分岐管、７、８、１６…３位置形断路器、１０…遮断器容器、１１…遮断器、１２…遮断器容器水平分岐管、１４…ケ−ブル容器、１５…ケ−ブル容器水平分岐管、１７…分岐管、１９…主回路導体、２０…ケ−ブルヘッド、２２…直流耐圧試験用切離装置、２３…直流耐圧試験用端子、２４…接地開閉器、２５…ケ−ブル切離装置、２６…計器用変圧器、２７、２８…変流器。
【図１】
2004266969.tif 000003
【図２】
2004266969.tif 000004
【図３】
2004266969.tif 000005
【図４】
2004266969.tif 000006
【図５】
2004266969.tif 000007